(57)【要約】【課題】インパネの外観性を高めるために、開閉蓋付きのハウジングに、灰皿を収納する構造が考えられる。吸い殻の消火には、リッドを灰皿に常設する必要がある。この結果、開閉蓋を開け、次にリッドを開けるという二動作が必須となり、操作が面倒になる。【解決手段】灰皿１３のリッド１２を、トーションばね１８で開側に付勢する。このリッド１２は、開閉蓋１５の開閉に連動させる。具体的には、下向きカム２１で上向きカム１９を押さえることで、開閉蓋１５の全閉と、リッド１２の全閉とを実現する。【効果】開閉蓋１５を開くだけで灰皿１３は使用可能状態になる。開閉蓋１５を閉じるだけで灰皿１３のリッド１２を閉じることができる。開閉蓋１５を開閉するという一動作だけで、灰皿１３のリッド１２を操作できるので、使い勝手が良くなる。【選択図】        図２
2005007976.tif 000002
【特許請求の範囲】
【請求項１】
上下に開閉すると共にスプリングで開側へ付勢されるリッドを備えた灰皿を収納するハウジングに、開閉蓋を付設し、この開閉蓋が閉位置ではインパネの面にほぼ倣い、開位置ではインパネ内に大部分が入るように案内することのできる灰皿収納装置において、
前記開閉蓋の下面並びにリッドの上面に、開閉蓋が閉位置にあるときに、前記リッドを閉位置に保持する一対のカムを備え、
前記ハウジングの側壁に主レバーを回転可能に支える第１軸を備え、主レバーに前記開閉蓋をスイング可能に支える第２軸を備え、前記開閉蓋からハウジングの側壁に沿ってアームを延ばし、このアームの先端をハウジングの側壁に設けたカム溝に嵌合し、
このカム溝を、前記第２軸廻りにスイングする開閉蓋の姿勢を制御する湾曲カム溝にしたことを特徴とする灰皿収納装置。
【発明の詳細な説明】
【０００１】
【発明の属する技術分野】
本発明は車両のインストルメントパネル（以下、インパネと略記する。）に付設する灰皿収納装置の改良に関する。なお、インパネには、センターコンソールをも含む。
【０００２】
【従来の技術】
従来、インパネに付設する灰皿の改良技術が提案されている（例えば、特許文献１参照。）。
【０００３】
【特許文献１】
実用新案登録第２５９９０９５号公報（図５）
【０００４】
図１０は特許文献１の図５の再掲図であり、ハウジング１１に灰皿２０が収納されており、この灰皿２０を図右へ引出すときに、ダンパー１７、扇状ギヤ、アーム１５等により、灰皿２０の移動速度を減衰させ、出し入れ時の使い勝手を高めることができる構造が示されている。
【０００５】
しかし、灰皿２０が引出し形式であるため、使用時に灰皿２０が室内へ張り出し、前部シートの前のスペースが狭まるという不具合がある。
【０００６】
この不具合を解消し得る改良型灰皿収納装置を次に説明する。
図１１（ａ）、（ｂ）は従来の改良型灰皿収納装置の原理図である。
（ａ）は灰皿非使用時の断面図であり、インパネ１００に開閉蓋１０１を設け、この開閉蓋１０１の奥に、灰皿１０２を配置したことを示す。灰皿１０２はリッド１０３を備える。リッド１０３は、火消し壺と同様の原理で、消し忘れた吸い殻を消す役割を果たすので、必須である。
【０００７】
（ｂ）は灰皿使用時の断面図であり、開閉蓋１０１を矢印▲２▼のごとく開き、次にリッド１０３を矢印▲３▼のごとく開いて、灰皿１０２を使用可能にする。
灰皿１０２はインパネ１００内に在り、開閉蓋１０１は、インパネ１００の外へ突出しないため、室内空間が狭まる心配はない。
【０００８】
【発明が解決しようとする課題】
しかし、開閉蓋１０１を開いてからリッド１０３を開く。又は、リッド１０３を閉じてから開閉蓋１０１を閉じるという、二段階動作が不可欠である。
開閉蓋１０１に連動してリッド１０３が自動的に開閉するのであれば、使い勝手が良くなることは言うまでもない。
【０００９】
しかし、単に開閉蓋１０１をリッド１０３に機械的に連結したのでは、清掃のために灰皿１０２を取り出すときに、ねじやボルトを外すなど機械的連結を解除する必要があり、複雑な連動機構を設ける必要がある。
この種の装置では価格及び保守の点から、複雑な機構を嫌うため、従来、開閉蓋１０１とリッド１０３とが連動し、且つ灰皿１０２を簡単に脱着できる灰皿収納装置が、実用化されなかったと考えられる。
【００１０】
【課題を解決するための手段】
本発明者らは、インパネ側の開閉蓋と灰皿側のリッドとを連動させることができ、且つ灰皿を容易に脱着可能な灰皿収納装置を、創り出すべく、研究を進め、満足する機能の灰皿収納装置を、完成することに成功した。
【００１１】
具体的には、請求項１は、上下に開閉すると共にスプリングで開側へ付勢されるリッドを備えた灰皿を収納するハウジングに、開閉蓋を付設し、この開閉蓋が閉位置ではインパネの面にほぼ倣い、開位置ではインパネ内に大部分が入るように案内することのできる灰皿収納装置において、
前記開閉蓋の下面並びにリッドの上面に、開閉蓋が閉位置にあるときに、前記リッドを閉位置に保持する一対のカムを備え、
前記ハウジングの側壁に主レバーを回転可能に支える第１軸を備え、主レバーに前記開閉蓋をスイング可能に支える第２軸を備え、前記開閉蓋からハウジングの側壁に沿ってアームを延ばし、このアームの先端をハウジングの側壁に設けたカム溝に嵌合し、
このカム溝を、前記第２軸廻りにスイングする開閉蓋の姿勢を制御する湾曲カム溝にしたことを特徴とする。
【００１２】
開閉蓋が閉位置にあるときには、一対のカムで、灰皿のリッドは閉位置を保つ。
開閉蓋が開位置に達すると、カムの押さえ作用は消失し、灰皿のリッドは開位置になる。この結果、灰皿のリッドは、開閉蓋に完全に連動して開閉し、人が操作する必要がない。
【００１３】
開閉蓋とリッドとは、機械的に繋がっていない。すなわち、開閉蓋と灰皿側とは機械的に繋がっていない。このため、開閉蓋が開位置にあるときには、ハウジングから灰皿を容易に取り出すことができる。
【００１４】
そして、ハウジング側の第１軸に主レバーを取付け、この主レバーに第２軸を設け、この第２軸に開閉蓋をスイング可能に取付け、この開閉蓋を姿勢を湾曲カム溝で制御するようにしたので、開閉蓋は、閉位置ではインパネの面にほぼ倣い、開位置ではインパネ内に大部分が入るように案内することができる。
【００１５】
【発明の実施の形態】
本発明の実施の形態を添付図に基づいて以下に説明する。なお、図面は符号の向きに見るものとする。
図１は開閉蓋が開いているときの本発明に係る灰皿収納装置の斜視図であり、灰皿収納装置１０は、上面が開口したハウジング１１に、リッド１２を備えた灰皿１３を取り外し可能に収納し、灰皿１３の横にシガーライター（シガーレットライター）１４を備え、ハウジング１１に、開閉蓋１５を上下に開閉自在に取付けてなる。
【００１６】
図２は図１の２−２線断面図であり、灰皿収納装置１０は、インパネ１６に取付けることができる。なお、インパネ１６の面は、センターコンソールの面であっても良い。
そして、灰皿１３は上部開口をリッド１２で塞ぐことのできる容器であり、奥のヒンジ１７で上下にスイング可能であるが、トーションばね１８により、リッド１２は開方向へ常時付勢される。リッド１２の上面に上向きカム１９を備え、この上向きカム１９が開閉蓋１５の下面（下向きカム２１）に当たるまで開く。
【００１７】
吸い殻を処理するには、人差し指や中指２２でリッド１２を閉側へ押さえつつ、親指２３と薬指又は小指２４で灰皿１３を摘み、矢印のごとく、取り出し／装着する。２５は滑り止めのために細かな凹凸模様を形成した指掛け面であり、図面奥の面とともに一対設ける。
【００１８】
図３は開閉蓋が閉じているときの本発明に係る灰皿収納装置の斜視図であり、開閉蓋１５でハウジング１１の上部開口を閉じたことを示す。
【００１９】
図４は図３の４矢視図（灰皿収納装置の左側面図）であるが、理解を促すために図５を先に説明する。
図５は本発明に係る灰皿収納装置の要部分解斜視図であり、ハウジング１１の左の側壁２７に、第１軸を構成するための第１軸用座２８を設け、この第１軸用座２８の図左側、右側及び下側に各々第１軸用座２８を囲うように円弧ギヤ３１、湾曲カム溝３２及びハート形カム溝３３を設けたことを示す。
【００２０】
そして、板状の主レバー３４をビス３５で第１軸用座２８に回転自在に止め、この主レバー３４の一端にロータリーダンパ３６を備えおき、このロータリーダンパ３６のギヤ３７を想像線で示すように円弧ギヤ３１に噛み合わせ、主レバー３４の他端に第２軸を構成する第２軸用穴３８を開け、この第２軸用穴３８に開閉蓋１５を掛止める。
【００２１】
なお、ロータリダンパー３６は、グリースなどの粘性流体を封入した容器に摩擦板を収納し、この摩擦板から延ばした軸にギヤ３７を取付た単純な構造物である。主レバー３４の回転に適度な抵抗力を付与し、開閉蓋１５の移動を穏やかにする作用を発揮させることができる。
【００２２】
開閉蓋１５から側壁２７に沿ってアーム３９を延ばし、このアーム３９に設けた第１ガイドピン４１を湾曲カム溝３２に嵌める。一方、アーム３９の下部にロック用レバー４２の一端を掛止め、ロック用レバー４２の他端に設けた第２ガイドピン４３をハート形カム溝３３に嵌める。
そして、ロック用レバー４２の第２ガイドピン４３がハート形カム溝４３から外れないように、薄い当て板４４を被せる。
【００２３】
図３に戻って、右側にもロータリダンパー３６Ｒ（Ｒは右を示す添え字。以下同じ）を備え、ビス３５Ｒで回転可能に右の側壁２７Ｒに止めた主レバー３４Ｒを設ける。この主レバー３４Ｒの下（陰）には円弧ギヤ及び湾曲カム溝を備える。  すなわち、開閉蓋１５は左右の一対の主レバーにてハウジング１１に連結したため、十分に円滑に開閉させることができる。
【００２４】
図４に戻って、ハウジング１１の側壁２７に、主レバー３４をビス３５で止め、この主レバー３４に開閉蓋１５を第２軸用穴３８廻りに首振り自在に止め、開閉蓋１５から側壁２７に沿って延ばしたアーム３９の先端の第１ガイドピン４１を湾曲カム溝３２に嵌めたことを示す。
第１軸に係るビス３５の中心を、以降「第１軸４５」、第２次軸用穴３８の中心を以降「第２軸４６」と呼ぶ。
【００２５】
以上の構成からなる灰皿収納装置１０の作用を以下に述べる。
図６は本発明の灰皿収納装置の作用説明図（全閉時）であり、（ａ）は左側面図、（ｂ）は断面図である。
（ａ）において、全閉時であるから、インパネ１６に開閉蓋１５は倣う。すなわち、全閉時の開閉蓋１５は、インパネ１６の外面と面一にする。
動作の理解を助けるために破線マーク４７及びＴ字マーク４８を用いて説明する。
【００２６】
第１軸４５から第２軸４６に延ばした破線マーク４７は、以降長さは変わらない。すなわち、第２軸４６は破線マーク４７の長さを半径として描く円に沿って回転する。
一方、アーム３９は開閉蓋１５に一体的に固定されているため、開閉蓋１５とアーム３９とに掛け渡したＴ字マーク４８は、形状が変化しない。従って、以降、破線マーク４７とＴ字マーク４８とのなす角度θのみが変化し、この角度θの変化が開閉蓋１５の首振りとなって現れる。
【００２７】
また、ロック用レバー４２の第２ガイドピン４３が、ハート形カム溝３３のＶ字ロック部４８に嵌合する。そのため、開閉蓋１５が図右上へ開くことはない。
【００２８】
（ｂ）において、灰皿１３のリッド１２はヒンジ１７を中心に反時計廻りに回転しようとする。しかし、開閉蓋１５の下向きカム２１が、リッド１２の上向きカム１９を押さえているため、リッド１２が開く心配はなく、リッド１２の全閉状態を維持させることができる。
【００２９】
図７は本発明の灰皿収納装置の作用説明図（開動作時）であり、（ａ）は左側面図、（ｂ）は断面図である。
（ａ）において、開閉蓋１５を開けるには、人差し指や中指２２で開閉蓋１５の下部を押す。すると、アーム３９が時計廻りに回転しつつ下がり、ロック用レバー４２が図左上へ移動し、結果として、第２ガイドピン４３がＶ字ロック部４８から外れる。この状態で、指２２を緩めれば、第２ガイドピン４３は矢印▲１▼のごとく、ハート形カム溝３３を移動する。
【００３０】
（ｂ）において、上向きカム１９に沿って下向きカム２１が移動するように、カム１９、２１の形状を決定した。そのため、開閉蓋１５を、全閉位置からさらに時計廻りに回転させることができる。
【００３１】
図８は本発明の灰皿収納装置の作用説明図（閉から開への途中図）であり、（ａ）は左側面図、（ｂ）は断面図である。
（ａ）において、図示せぬばねで主レバー３４を、反時計廻りに付勢する。すると、第１ガイドピン４１が湾曲カム溝３２に沿って上昇する。これに連動して破線マーク４７が第１軸４５を中心に反時計廻りに回転する。この結果、開閉蓋１５はほぼ水平になると共に、破線マーク４７とＴ字マーク４８とのなす角度θ１は大きくなる。
（ｂ）において、灰皿１３のリッド１２は、開閉蓋１５とともに開く。
【００３２】
図９は本発明の灰皿収納装置の作用説明図（全開時）であり、（ａ）は左側面図、（ｂ）は断面図である。
（ａ）は、開閉蓋１５が全開になったことを示す。開閉蓋１５をほぼ水平にした状態（図８（ａ）参照）から、図左にほぼ水平に移動したため、インパネ１６の開口は小さくすることができる。この結果、インパネ１６の外観性を高めることができる。
【００３３】
（ｂ）は、図２と同様の断面図である。図２に矢印で示したとおりに、灰皿１３をハウジング１１から脱着することができる。
【００３４】
開閉蓋１５を全開から全閉へ戻す動作は、第２ガイドピン４３がハート形カム溝３３の下側の溝を通る点を除いて、図９、図８、図７、図６の通りに変化して、全閉に戻るので、詳しい説明は省略する。
【００３５】
以上に述べたとおりに、本発明の灰皿収納装置１０では、灰皿の使用者は、指２２（図７参照）で開閉蓋１５を軽く押し下げるだけで、全閉ロックを解除し、指２２を離すことで、開閉蓋１５並びにリッド１２を開くことができる。すなわち、人手で開閉蓋を開いてから、人手でリッドを開くという二段動作は不要となった。
【００３６】
尚、本実施例では、上向きカム１９と下向きカム２１とで、一対のカムを構成したが、一方をカム溝で他方を突起状カムにすることも可能であるから、一対のカムの形状は本実施例に限るものではない。
また、リッド１２を開くスプリングを、実施例ではトーションばねとしたが、圧縮ばね、引張りばねでもよく、スプリングの形式は任意である。
【００３７】
さらには、実施例ではシガーライターをもハウジングに収納し開閉蓋で覆うことが、インパネの外観性を高めることができた。しかし、シガーライターをハウジング外へ別置きすることは差し支えない。
【００３８】
【発明の効果】
本発明は上記構成により次の効果を発揮する。
請求項１によれば、開閉蓋が閉位置にあるときには、一対のカムで、灰皿のリッドは閉位置を保つことができ、開閉蓋が開位置に達するときには、カムの押さえ作用が消失し、灰皿のリッドを開位置にすることができる。
この結果、灰皿のリッドは、開閉蓋に完全に連動して開閉し、人が操作する必要がなくなる。すなわち、開閉蓋を開くことで、灰皿は使用可能となる。
【００３９】
開閉蓋とリッドとは、機械的に繋がっていない。すなわち、開閉蓋と灰皿側とは機械的に繋がっていない。このため、開閉蓋が開位置にあるときには、ハウジングから灰皿を容易に取り出すことができる。
【００４０】
そして、ハウジング側の第１軸に主レバーを取付け、この主レバーに第２軸を設け、この第２軸に開閉蓋をスイング可能に取付け、この開閉蓋を姿勢を湾曲カム溝で制御するようにしたので、開閉蓋は、閉位置ではインパネの面にほぼ倣い、開位置ではインパネ内に大部分が入るように案内させることができる。
この結果、インパネに設ける開口をコンパクトにすることができ、インパネの外観性を高めることができる。
【図面の簡単な説明】
【図１】開閉蓋が開いているときの本発明に係る灰皿収納装置の斜視図
【図２】図１の２−２線断面図
【図３】開閉蓋が閉じているときの本発明に係る灰皿収納装置の斜視図
【図４】図３の４矢視図（灰皿収納装置の左側面図）
【図５】本発明に係る灰皿収納装置の要部分解斜視図
【図６】本発明の灰皿収納装置の作用説明図（全閉時）
【図７】本発明の灰皿収納装置の作用説明図（開動作時）
【図８】本発明の灰皿収納装置の作用説明図（閉から開への途中図）
【図９】本発明の灰皿収納装置の作用説明図（全開時）
【図１０】特許文献１の図５の再掲図
【図１１】従来の改良型灰皿収納装置の原理図
【符号の説明】
１０…灰皿収納装置、１１…ハウジング、１２…リッド、１３…灰皿、１４…シガーライター、１５…開閉蓋、１６…インパネ、１７…ヒンジ、１８…トーションばね（スプリング）、１９…上向きカム、２１…下向きカム、２７…側壁、３２…湾曲カム溝、３３…ハート形カム溝、３４…主レバー、３６…ロータリダンパー、３９…アーム、４１…第１ガイドピン、４２…ロック用レバー、４３…第２ガイドピン、４５…第１軸、４６…第２軸。
【図１】
2005007976.tif 000003
【図２】
2005007976.tif 000004
【図３】
2005007976.tif 000005
【図４】
2005007976.tif 000006
【図５】
2005007976.tif 000007
【図６】
2005007976.tif 000008
【図７】
2005007976.tif 000009
【図８】
2005007976.tif 000010
【図９】
2005007976.tif 000011
【図１０】
2005007976.tif 000012
【図１１】
2005007976.tif 000013